(57)【要約】  焼結粉末金属部品と関連する該部品の形成方法が開示されている。圧縮され焼結された粉末金属から形成される焼結粉末金属部品は、径方向外向き面と径方向内向き面とを有するハブを備えている。鋸歯状輪郭がハブの径方向外向き面と径方向内向き面のうちの一方に形成され、少なくとも１つの溝がハブの径方向外向き面と径方向内向き面のうちの他方に機械加工で形成されて、鋸歯状輪郭と少なくとも１つの溝が、ハブの径方向両側で対向する。溝又は複数の溝が、鋸歯状輪郭の複数の歯根の少なくとも幾つかと交差して、ハブを通る複数の径方向に延びた間隔を空けた開口を形成する。
2016540898.tif 000002
【特許請求の範囲】
【請求項１】
径方向外向き面と径方向内向き面とを有するハブと、
前記ハブの前記径方向外向き面と前記径方向内向き面のうちの一方に形成された歯根を有する鋸歯状輪郭と、
前記ハブの前記径方向外向き面と前記径方向内向き面のうちの他方に機械加工で形成された少なくとも１つの溝と、
を備えた焼結粉末金属部品であって、
前記鋸歯状輪郭と前記少なくとも１つの溝が、前記ハブの径方向両側で対向し、
前記少なくとも１つの溝が、前記歯根の少なくとも幾つかと交差して、前記ハブを通る複数の径方向に延びる間隔を空けた開口を形成することを特徴とする焼結粉末金属部品。
【請求項２】
前記焼結粉末金属部品がクラッチハブであることを特徴とする請求項１に記載の焼結粉末金属部品。
【請求項３】
前記鋸歯状輪郭が前記径方向外向き面に形成され、前記少なくとも１つの溝が前記径方向内向き面に機械加工で形成されていることを特徴とする請求項１に記載の焼結粉末金属部品。
【請求項４】
前記鋸歯状輪郭が前記径方向内向き面に形成され、前記少なくとも１つの溝が前記径方向外向き面に機械加工で形成されていることを特徴とする請求項１に記載の焼結粉末金属部品。
【請求項５】
前記複数の径方向に延びる間隔を空けた開口が、周方向及び軸方向に互いに間隔が空けられていることを特徴とする請求項１に記載の焼結粉末金属部品。
【請求項６】
前記歯根の少なくとも幾つかが、他の前記歯根よりも深いことを特徴とする請求項１に記載の焼結粉末金属部品。
【請求項７】
前記少なくとも１つの溝が、前記ハブの周囲に周方向に延びた溝を備えていることを特徴とする請求項１に記載の焼結粉末金属部品。
【請求項８】
前記少なくとも１つの溝が、前記ハブの中心軸から斜めの角度に機械加工で形成された複数の溝を備えて、ねじ状のパターンを形成していることを特徴とする請求項１に記載の焼結粉末金属部品。
【請求項９】
前記少なくとも１つの溝が、前記ハブの周囲で軸方向に波打つ連続的な溝を備えていることを特徴とする請求項１に記載の焼結粉末金属部品。
【請求項１０】
前記少なくとも１つの溝が、前記ハブの周囲で部分的にのみ延びた溝の断片（segment）を備えていることを特徴とする請求項１に記載の焼結粉末金属部品。
【請求項１１】
前記歯根の最も深いものの深さが歯の高さを超えていることを特徴とする請求項１に記載の焼結粉末金属部品。
【請求項１２】
前記歯根が断面円形の輪郭を有していることを特徴とする請求項１に記載の焼結粉末金属部品。
【請求項１３】
焼結金属部品のハブを通る複数の径方向に延びた間隔を空けた開口を形成する方法であって、
粉末金属を、焼結すれば焼結粉末金属部品になるグリーンプレフォーム（green preform）に圧縮する圧縮ステップと、ここで前記グリーンプレフォームは前記ハブの径方向外向き面と径方向内向き面のうちの一方に形成された鋸歯状輪郭を有し、
少なくとも１つの溝を前記ハブの前記径方向外向き面と前記径方向内向き面のうちの他方に機械加工で形成して、前記鋸歯状輪郭と前記少なくとも１つの溝を、前記ハブの両側で対向させる機械加工ステップと、を備え、
前記少なくとも１つの溝が、前記歯根の少なくとも幾つかと交差して、前記ハブを通る複数の径方向に延びた間隔を空けた開口を形成することを特徴とする方法。
【請求項１４】
前記グリーンプレフォームを焼結して焼結粉末金属部品を形成する焼結ステップをさらに備えた請求項１３に記載の方法。
【請求項１５】
前記焼結ステップに先立って、前記グリーンプレフォームに前記溝を機械加工で形成することを特徴とする請求項１４に記載の方法。
【請求項１６】
前記焼結ステップの後で、前記グリーンプレフォームに前記溝を機械加工で形成することを特徴とする請求項１４に記載の方法。
【請求項１７】
前記圧縮ステップにおいて前記鋸歯状輪郭が前記径方向外向き面に形成され、前記機械加工ステップにおいて前記少なくとも１つの溝が前記径方向内向き面に機械加工で形成されることを特徴とする請求項１３に記載の方法。
【請求項１８】
前記圧縮ステップにおいて前記鋸歯状輪郭が前記径方向内向き面に形成され、前記機械加工ステップにおいて前記少なくとも１つの溝が前記径方向外向き面に機械加工で形成されることを特徴とする請求項１３に記載の方法。
【請求項１９】
前記ハブに機械加工で形成された前記少なくとも１つの溝が、前記ハブの周囲に周方向に延びた溝を備えていることを特徴とする請求項１３に記載の方法。
【請求項２０】
前記ハブに機械加工で形成された前記少なくとも１つの溝が、前記ハブの中心軸から斜めの角度に機械加工で形成された複数の溝を備えて、ねじ状のパターンを形成していることを特徴とする請求項１３に記載の方法。
【請求項２１】
前記ハブに機械加工で形成された前記少なくとも１つの溝が、前記ハブの周囲で軸方向に波打つ連続的な溝を備えていることを特徴とする請求項１３に記載の方法。
【請求項２２】
前記ハブに機械加工で形成された前記少なくとも１つの溝が、前記ハブの周囲で部分的にのみ延びた溝の断片（segment）を備えていることを特徴とする請求項１３に記載の方法。
【発明の詳細な説明】
【技術分野】
【０００１】
（関連出願との相互参照）
本出願は、２０１３年１０月１７日に出願された米国暫定特許出願第６１／８９１，９９８号の利益を請求し、その開示内容全体は、参照することにより本明細書に組み込まれる。
【０００２】
本発明は、粉末金属部品とその製造方法に関する。より具体的には、本発明は、例えばオイルや他の潤滑剤をハブの径方向の一方側から他方側へ移動させるために、粉末金属部品のハブを通る径方向に延びる間隔を空けた開口を形成する方法に関する。
【背景技術】
【０００３】
特定のコンポーネントでは、アセンブリのある場所から別の場所へオイル又は潤滑剤が流れることを許容するために、コンポーネントを通るオイル又は潤滑剤用の孔を有することが必要である。例えば、クラッチハブでは、オイルはクラッチハブの一方からクラッチパックへ供給される。これを行うために、クラッチハブのハブは、従来ドリル等で孔を開けられて、オイル又は潤滑剤が通る経路が形成される。加えて、潤滑剤タンクを提供するために、円筒状又は筒状体が一般的にハブから機械加工で形成される。ハブの軸端上には、径方向内向きの環状リップ（lip）又はダム（weir）が残されて、タンクの端壁を構成している。
【発明の概要】
【発明が解決しようとする課題】
【０００４】
しかし、（１）ハブにドリルで潤滑剤孔を形成した後、（２）筒状潤滑剤タンクを機械加工で形成するプロセスは、費用がかかるし、時間を消費する。従って、ハブを有するコンポーネントに開口と潤滑剤タンクを形成する改善された方法に対する需要が存在する。
【課題を解決するための手段】
【０００５】
粉末冶金と最小限の機械加工のみを用いた、径方向の貫通孔と潤滑剤タンクを形成するための改善された方法を、ここに開示する。要するに、ハブの一方の面上に特に深く幾つかの又はすべての歯根が形成された鋸歯状輪郭を有する型（form）内に粉末金属が圧縮される。ハブの他方の面上には、これらの歯根の少なくとも幾つかと交差する１つ以上の溝が機械加工で形成されている。これらの交差点では、歯根と溝又は複数の溝は複数の径方法に延びる間隔を空けた開口を形成し、これら開口は潤滑剤がハブの一方から他方へ移動することを可能にするために用いることができる。また、溝又は複数の溝は、潤滑剤タンクとして機能し、タンクを形成するためにハブの大面積を除去することを要しない。
【０００６】
本発明の一態様によれば、焼結粉末金属部品は、径方向外向き面と径方向内向き面とを有するハブを備えている。鋸歯状輪郭が、ハブの径方向外向き面と径方向内向き面のうちの一方に形成されている。この鋸歯状輪郭は、歯と歯根を備えている。１つ以上の溝が、ハブの径方向外向き面と径方向内向き面のうちの他方に機械加工で形成されている（鋸歯状輪郭と１つ以上の溝が、ハブの径方向両側で対向している）。溝が歯根の少なくとも幾つかと交差して、ハブを通る複数の径方向に延びる間隔を空けた開口を形成している。
【０００７】
１つの形態では、この焼結粉末金属部品がクラッチハブである。しかし、この部品はクラッチハブ以外の部品であってもよい。
【０００８】
幾つかの形態では、鋸歯状輪郭が径方向外向き面に形成され、溝が径方向内向き面に機械加工で形成されている。他の形態では、鋸歯状輪郭が径方向内向き面に形成され、溝が径方向外向き面に機械加工で形成されている。
【０００９】
本発明の幾つかの形態では、複数の径方向に延びる間隔を空けた開口は、周方向及び軸方向に互いに間隔が空けられている。
【００１０】
開口が形成される特定の位置は、歯根の深さを制御することによって確立される。例えば、歯根の少なくとも幾つかは、他の歯根より深い。次に、機械加工で形成された溝の深さに応じて、溝はより深い歯根と交差して開口を形成するが、より浅い歯根とは交差しない。
【００１１】
溝又は複数の溝は、多数の異なる形態を取ることができる。例えば、溝はハブの周囲に延びることができる（例えば、溝はハブの中心軸と垂直な面上の円形凹部とすることができる）。別の形態では、複数の溝がハブにハブの中心軸に対し斜めの角度で機械加工により形成されて、ねじ山パターンを形成する。また別の形態では、溝はハブの円周上で軸方向に波打つ（oscillates）連続的な溝である（例えば、円柱面周りに巻き付くサイン波のパターンである）。また別の形態では、溝はハブの周囲で部分的にのみ延びた溝の断片（segment）を備えている。
【００１２】
幾つかの形態では、歯根の最も深いものの深さが鋸歯状輪郭の歯の高さを超えていることが考えられる。つまり、複数の歯が標準的な高さを有し、複数の開口の構成を収容する歯根が、歯の別のセットと適切に係合するために歯の深さより深い歯根の高さになることに帰結する。例えば、複数の歯の対応するセットと係合するために歯根の適切な深さのところに中間の肩部があり、次に溝と交差することを主な目的とした歯根のより深い部分が続く。
【００１３】
幾つかの形態では、歯根が断面円形の輪郭を有している。
【００１４】
本発明の別の態様によれば、焼結金属部品のハブを通る複数の径方向に延びた間隔を空けた開口を形成する方法が開示されている。粉末金属を、焼結すれば焼結粉末金属部品になるグリーンプレフォーム（green preform）に圧縮する。このグリーンプレフォームはハブの径方向外向き面と径方向内向き面のうちの一方に形成された鋸歯状輪郭を有する。少なくとも１つの溝を前記ハブの前記径方向外向き面と前記径方向内向き面のうちの他方に機械加工で形成して、前記鋸歯状輪郭と前記少なくとも１つの溝を、前記ハブの両側で対向させる。溝が、歯根の少なくとも幾つかと交差して、ハブを通る複数の径方向に延びた間隔を空けた開口を形成する。
【００１５】
本方法の幾つかの形態によれば、本方法はグリーンプレフォームを焼結して焼結粉末金属部品を形成するステップをさらに備える。グリーンプレフォームを焼結して焼結粉末金属部品を形成するステップに先立って、又は、グリーンプレフォームを焼結して焼結粉末金属部品を形成するステップの後で、グリーンプレフォームに溝を機械加工で形成する。
【００１６】
本方法によれば、圧縮ステップの間に、鋸歯状輪郭が径方向外向き面又は径方向内向き面の一方に形成され、機械加工ステップの間に、溝が径方向外向き面又は径方向内向き面の他方に機械加工で形成される。
【００１７】
上述のように、溝は多数の異なる形態を取ることができる（例えば、円周溝、ハブの中心軸に対し斜めの角度で機械加工、連続的な波打ち溝、及び／又はハブの周囲で部分的にのみ延びた溝の断片）。
【００１８】
本発明の上記長所や他の長所は、以下の詳細な記述と図面によって明らかになるであろう。以下に記載するものは、本発明の幾つかの好ましい実施例に過ぎない。これらの好ましい実施例は請求項の範囲内の実施例であることを意図したものではないので、本発明の全範囲を評価するためには、請求項を見るべきである。
【図面の簡単な説明】
【００１９】
【図１】図１はハブの径方向外向き面上の鋸歯状輪郭（この例ではスプライン）を示す焼結粉末金属部品の断面斜視図であって、焼結粉末金属部品の半分のみが図示されている。
【図２】図２は図１の焼結粉末金属部品の斜視図であって、ハブの径方向内向き面とそこに機械加工で形成された溝を示すために、反対方向から断面を図示している。
【図３】図３は代替的な焼結粉末金属部品の側面図であって、ハブに形成された３つの径方向に延びる間隔を空けた開口が図示されたハブの径方向外向き面を示している。
【図４】図４は図３の焼結粉末金属部品の断面側面図であって、ハブの径方向内向き面とそこに機械加工で形成された溝とを見ることができる。
【図５】図５は図３の焼結粉末金属部品の詳細斜視断面図であって、断面はハブを通って径方向に延びる開口を形成する歯根の一つと溝の交差部を通る断面を示している。
【図６】図６は図４の焼結粉末金属部品の詳細斜視断面図であって、断面はハブを通って径方向に延びる開口を形成する歯根の一つと溝の交差部を通る断面を示している。
【図７】図１や図２に示した焼結粉末金属部品と類似のまた別の代替的な粉末金属部品の図であるが、歯根と溝の交差部は規則的に間隔を空けることで、複数の径方向に延びる開口も規則的に間隔を空けている。
【図８】図８は図７の部品の側面図であって、ハブの径方向外向き面が示されている。
【図９】図９は、図１、図２に示したものと類似した、また別の代替的な焼結粉末金属部品の図であるが、溝はハブの中心軸と略垂直な面上で円周方向に形成されている。
【図１０】図１０は、図１、図２に示したものと類似した、また別の代替的な焼結粉末金属部品の図であるが、溝の単一コード（chord）又は断片がハブの径方向内向き面に形成されている。
【図１１】図１１は、図１０の部品の反対側斜視図であって、溝の断片によって形成された開口が、ハブの径方向外向き面上に図示されている。
【発明を実施するための形態】
【００２０】
以下の詳細な説明では、特に記載された差異を除き、様々な図示の実施例にわたって、類似の要素には類似の番号を用いている。いずれにせよ、図に番号が付された特定の特徴は、各実施例で明示的に記載されている。例えば、第１実施例の特徴１０２とその記述は、全体的に第２実施例の特徴２０２、及び第３実施例の特徴３０２などと対応している。
【００２１】
まず図１、図２を参照して、クラッチハブ状の焼結粉末金属部品１００が本発明の第一の態様に従って示されている。焼結粉末金属部品１００は、ベース１０２とベース１０２から軸方向上向きに延びたハブ１０４を備えている。ハブ１０４は全体的に筒状で、ベース１０２に接続された一方の軸端からハブ１０４の端部の他方の軸端まで延びている。ハブ１０４は、径方向内向き面１０６と径方向外向き面１０８を有している。
【００２２】
ハブ１０４の径方向外向き面１０８上には、鋸歯状輪郭１１０が形成されている。鋸歯状輪郭１１０は、ハブ１０４に沿って軸方向に延び、ハブ１０４の周方向に間隔を空けた、複数の歯１１２を備えている。これらの歯１１２の間には、複数の歯根１１４が設けられている。これらの歯根１１４のうち少なくとも幾つかは、他の歯根１１４より深くなっている。この明細書では、「より深い」とは1つの歯根が図示の向きで他の歯根よりハブの中心軸により近いことを意味するが、但しすべての歯根１１４が同じ深さである場合も考えられる。また、ここで用いられる「鋸歯状輪郭」という用語は、歯、スプライン、又は他の歯状のものを指しており、図示の鋸歯状輪郭のみに限定されない。
【００２３】
図２に最も良く示されているように、ハブ１０４の径方向内向き面１０６上には、溝１１６が機械加工で形成されている。この図示の実施例では、この溝１１６は連続的で、径方向内向き面１０６周りに円周方向に溝１１６が延びるに伴い、軸方向に波打っている。従って、溝１１６はサイン波に似たパターンを有している。しかし、他の実施例の幾つかに図示されるように、溝１１６は異なる形状を取ることができる（例えば、軸方向に波打たず、単に断片であるなど）。また、当然のことながら、単一の連続的な溝のみが図１、図２に示されているが、１つの溝の代わりに1つ以上の溝を形成することができる。
【００２４】
鋸歯状輪郭１１０はハブ１０４の径方向外向き面１０８に形成され、溝１１６はハブ１０４の径方向内向き面１０６に形成されているが、これらの特徴部分の配置は入れ替えることができることに留意すべきである。つまり、鋸歯状輪郭１１０はハブ１０４の径方向内向き面１０６に形成することができるし、溝１１６はハブ１０４の径方向外向き面１０８に形成することができる。図示の実施例に対し入れ替えた配置では、歯根の深さは明らかに上で定義した深さから反転している。鋸歯状輪郭１１０がハブ１０４の径方向内向き面１０６に形成されている場合、歯根１１４がより深くなるにつれて、歯根１１４はハブ１０４の中心軸からより遠ざかる。
【００２５】
歯根１１４の少なくとも幾つかと溝１１６の交差点では、径方向に延びる開口１１８が形成されている。径方向に延びる開口１１８の形成は、ハブ１０４の一方側の溝１１６の深さがハブ１０４の他方側の歯根１１４の深さと交差するところで生じ、そこには２者の間に材料の存在が無くて、径方向に延びる開口１１８が形成される。このように、また当然のことながら、ハブ１０４の構成にかかわらず、（歯根１１４を備えた）鋸歯状輪郭１１０は溝１１６に対してハブ１０４の反対側になる必要がある。歯根１１４がハブ１０４の周囲に互いに間隔を空けているので、これは径方向に延びる開口１１８もハブ１０４の周囲に間隔を空けて存在していることを意味する。また、図示の溝１１６はハブ１０４周囲を進むにつれて軸方向に波打っているので、歯根１１４と溝１１６の交差点に基づいて径方向に延びる開口１１８も、軸方向に互いに間隔を空けている。
【００２６】
図１と図２に示すように、歯根１１４と溝１１６として選択された配置によって、径方向に延びる開口１１８は異なる長さの曲線状のスロットであることに留意すべきである。しかし、他の実施例に図示されているように、径方向に延びる開口１１８の形状は、鋸歯状輪郭１１０と溝１１６の配置の選択によって制御できる。開口１１８のすべてではなくともほとんどは、歯根１１４の全幅にわたって延びている。
【００２７】
次に図３、図４を参照して、焼結粉末金属部品２００の第二実施例を示し、そこでは鋸歯状輪郭２１０の形状が変更されて、径方向に延びる開口２１８の数と形状が変化している。この実施例では、ハブ２０４の径方向外向き面２０８上の鋸歯状輪郭２１０の歯根２１４ｂの幾つかのみが、ハブ２０４の径方向内向き面２０６上の溝２１６と交差するのに十分に深い。図３と図４に示された焼結粉末金属部品２００の半分からわかるように、３つの径方向に延びる開口２１８のみが、ハブ２０４の側壁に形成されている。
【００２８】
図５と図６をさらに参照すると、図３と図４に示された第二実施例の歯根２１４ａと２１４ｂの深さの相違をより詳細に見ることができる。図５、図６に示すように、幾つかの歯根２１４ａは浅く、一方で他の歯根２１４ｂは比較してより深い。径方向に延びる開口２１８を形成する溝２１６と歯根２１４ｂの間の交差点の空間と共に、より深い歯根２１４ｂの１つを通る断面を、図５と図６は備えている。図示の形態では、溝２１６がハブ２０４の径方向内向き面２０６に対して均一な深さを有するように形成されているので、溝２１６はより深い歯根２１６ｂとのみ交差して、径方向に延びる開口２１８を形成し、より浅い歯根２１４ａとは開口を形成しない。
【００２９】
特に、図３ないし６に示す第二実施例では、対応する溝２１６と交差するのに十分な深さの歯根２１４ｂの数が少ないので、この第二実施例での径方向に延びる開口２１８の数はより少なく、図１、図２に示した実施例よりさらに互いに間隔を空けている。
【００３０】
次に図７と図８を参照して、第三実施例を示す。この焼結粉末金属部品３００では、ハブ３０４の径方向外向き面３０８上の鋸歯状輪郭３１０は規則的であり、規則的なパターンを生じさせる歯３１２と歯根３１４を有している。従って、溝３１６が径方向内向き面３０６に機械加工などで形成されると、径方向に延びる開口３１８の円周方向の間隔はより規則的になり、軸方向にのみ波打つ（溝３１６がハブ３０４の周りに円周上に延びるにつれて、軸方向に波打つ）。
【００３１】
焼結粉末金属部品のまた別の変形例を図９に示す。この焼結粉末金属部品４００では、溝４１６はハブ４０４の径方向内向き面４０６上に単純な環状リングとして形成され、ハブ４０４の中心軸と垂直な面上に円周を有している。鋸歯状輪郭４１０が規則的なので、溝４１６と鋸歯状輪郭４１０の歯根４１４の交差部は、それぞれ同じ軸方向高さ又は位置にある、ハブ４０４の周囲の円周線に沿って間隔を空けた、径方向に延びる開口４１８を形成する。
【００３２】
最後に、図１０と図１１に、溝５１６がハブ５０４の径方向内向き面５０６の一部に沿った単に単一の円弧状断片である別の実施例を示す。ここでも、この結果、歯根５１４と溝５１６の交差部に、径方向に延びる開口５１８が形成される。しかし今回は、開口は溝５１６の断片に沿って間隔を空けている。
【００３３】
「技術分野」と「背景技術」で述べたように、より大きなアセンブリに載置すると、これらの径方向に延びる開口は潤滑剤のハブの一方から他方への移動を容易にすることができる。また、（幾つかの既存のアセンブリで見られるより大きな機械加工された領域とは対照的に）ハブに溝を形成することによって、溝は潤滑剤タンクとして働くことができる。
【００３４】
さらに、図示していないものの、１つ以上のフルート状のものをプレス加工、機械加工、その他で加工して鋸歯状輪郭に形成して、歯と歯根の間の空間に形成された複数の流路（channel）を流動的に結合することが考えられる。このようなフルート状のものは、全体的に周方向に延びて、歯根の様々な流路を互いに流体連結するように載置して、潤滑剤をより良く分配できる。例えば、幾つかの形態では、径方向に延びる開口は歯根の幾つかのみに形成されて、ハブの壁を通る潤滑剤の移動を容易にするのに対し、フルート状のものは開口を有する流路と開口を有さない流路の間の鋸歯状輪郭において、様々な流路を横断する潤滑剤の移動を容易にすると考えられる。
【００３５】
上述の実施例ではクラッチハブが図示されていたが、クラッチハブ以外の他の粉末金属部品も本発明に組み入れることができる。
【００３６】
ここに記載した種類の粉末金属部品を形成するための方法を以下に記載する。
【００３７】
第一に、粉末金属を、グリーンプレフォーム（green preform）に圧縮する。この圧縮ステップは、一般的に工具と金型セットに粉末金属とある程度の量の潤滑剤及び／又は結合剤を充填することで実行される。潤滑剤及び／又は結合剤は、圧縮時に粉末金属粒子を一体に保持し、工具及び金型セットからの圧縮されたプレフォームの取り出しを容易にする。粉末金属と潤滑剤及び／又は結合剤は、圧力（通常、２つ以上の対向するパンチ工具によって供給される一軸性の圧力）下で一体に圧縮され、グリーンプレフォームを形成する。圧縮ステップの間、例えば鋸歯状輪郭のような微細な又は詳細な特徴部分が形成される。圧縮の直後には、溝はプレフォームに存在していない。
【００３８】
その後、プレフォームは焼結時間の間、焼結温度（一般的に粉末金属の溶融温度近傍だが以下）で焼結されて、粉末金属粒子を拡散させ、互いを結び付ける（neck into each other）ことによって、硬い焼結粉末金属部品を形成し、部品の密度が増加するのに伴い、部品のわずかな寸法収縮が生じる。プロセス条件は粉末金属材料に基づいて変化し、粉末金属供給者又は科学文献から容易に入手可能であるので、特定の時間及び温度は、この用途では明示的に提供しない。
【００３９】
焼結前（部品がまだグリーンプレフォームとしてグリーン状態の時）又は焼結後（部品が焼結された時）に、少なくとも１つの溝がハブの径方向外向き面及びハブの径方向内向き面のうちの他方に機械加工で形成されて、鋸歯状輪郭と溝はハブの径方向両側で対向する。この機械加工ステップの間、溝又は複数の溝は、鋸歯状輪郭の歯根の少なくとも幾つかと交差して、ハブを貫通する複数の径方向に延びる間隔を空けた開口を形成する。この機械加工ステップは、多数の方法で実行することができるが、旋盤を用いて行うことが最も可能性が高いと考えられる。
【００４０】
繰り返すと、焼結粉末金属部品は図示の形態のどれでも取ることができるし、追加の形状的変形を採用して、径方向に延びる開口の配置の代替的位置にたどり着くことができる。
【００４１】
当然のことながら、好ましい実施例の様々な他の変形、変更が本発明の精神と範囲内で実施される。従って、本発明は記載した実施例に限定されるものではない。本発明の全範囲を確認するためには、以下の請求項を参照すべきである。
【図１】
2016540898.tif 000003
【図２】
2016540898.tif 000004
【図３】
2016540898.tif 000005
【図４】
2016540898.tif 000006
【図５】
2016540898.tif 000007
【図６】
2016540898.tif 000008
【図７】
2016540898.tif 000009
【図８】
2016540898.tif 000010
【図９】
2016540898.tif 000011
【図１０】
2016540898.tif 000012
【図１１】
2016540898.tif 000013
【国際調査報告】
2016540898.tif 000014
2016540898.tif 000015